(57)【特許請求の範囲】
【請求項１】
ケース本体と、このケース本体に前方にスライドして装着される蓋体とからなり、遊技機用の回路基板が配設された遊技機の基板ケースにおいて、
蓋体の先端には、前方に向けて突出する嵌合部を設けて、
この嵌合部に、垂直基板の両端から後方に向けて係止片を突設した封止部材と、前記係止片の間に上方から嵌入されてこの係止片を横方向に拡開する押圧部材とを、配設するとともに、
相手のケース本体には、蓋体に向けて開く開口部を有し、嵌合部が差し込まれる封止室を設けて、
この封止室内に、差し込まれた押圧部材を下方に押し下げるための下向き突起と、押圧部材の押し下げによって拡開された係止片と噛合して蓋体をスライド不能に封止するための段差とを、設けたことを特徴とする遊技機の基板ケース。
【請求項２】
ケース本体と、このケース本体に前方にスライドして装着される蓋体とからなり、遊技機用の回路基板が配設された遊技機の基板ケースにおいて、
ケース本体の一端には、後方に向けて突出する嵌合部を設けて、
この嵌合部に、垂直基板の両端から前方に向けて係止片を突設した封止部材と、前記係止片の間に上方から嵌入されてこの係止片を横方向に拡開する押圧部材とを、配設するとともに、
相手の蓋体には、ケース本体に向けて開く開口部を有し、嵌合部が差し込まれる封止室を設けて、
この封止室内に、差し込まれた押圧部材を下方に押し下げるための下向き突起と、押圧部材の押し下げによって拡開された係止片と噛合して蓋体をスライド不能に封止するための段差とを、設けたことを特徴とする遊技機の基板ケース。
【請求項３】
係止片の内側には、押圧部材の嵌入によって横方向に押圧されて係止片を拡開するための突起を設けたうえに、
押圧部材には、係止片の間に上方から嵌め込み可能な側面を設け、この側面に、上方に向けて浅くなる傾斜面を有する凹溝を設けて、この凹溝に一時収納された突起を押圧部材の押し下げによって横に押圧するようにした請求項１又は２に記載の遊技機の基板ケース。
【請求項４】
封止室の上部に、二つの下向き突起を左右に離間させて設け、
押圧部材の上部には、嵌合部が封止室内に差し込まれたときに、下向き突起により摺動されて押圧部材を下方に押し下げるための上向き突起を、前記下向き突起に対向して二つ設けた請求項１〜３の何れかに記載の遊技機の基板ケース。
【請求項５】
ケース本体と、このケース本体に前方にスライドして装着される蓋体とからなり、遊技機用の回路基板が配設された遊技機の基板ケースにおいて、
蓋体の先端には、前方に向けて突出する嵌合部を設けて、
この嵌合部に、垂直基板の両端から後方に向けて係止片を突設した封止部材と、前記係止片の間に下方から嵌入されてこの係止片を横方向に拡開する押圧部材とを、配設するとともに、
相手のケース本体には、蓋体に向けて開く開口部を有し、嵌合部が差し込まれる封止室を設けて、
この封止室内に、差し込まれた押圧部材を上方に押し上げるための下側突起と、押圧部材の押し上げによって拡開された係止片と噛合して蓋体をスライド不能に封止するための段差とを、設けたことを特徴とする遊技機の基板ケース。
【請求項６】
ケース本体と、このケース本体に前方にスライドして装着される蓋体とからなり、遊技機用の回路基板が配設された遊技機の基板ケースにおいて、
ケース本体の一端には、後方に向けて突出する嵌合部を設けて、
この嵌合部に、垂直基板の両端から前方に向けて係止片を突設した封止部材と、前記係止片の間に下方から嵌入されてこの係止片を横方向に拡開する押圧部材とを、配設するとともに、
相手の蓋体には、ケース本体に向けて開く開口部を有し、嵌合部が差し込まれる封止室を設けて、
この封止室内に、差し込まれた押圧部材を上方に押し上げるための下側突起と、押圧部材の押し上げによって拡開された係止片と噛合して蓋体をスライド不能に封止するための段差とを、設けたことを特徴とする遊技機の基板ケース。
【請求項７】
係止片の内側には、押圧部材の嵌入によって横方向に押圧されて係止片を拡開するための突起を設けたうえに、
押圧部材には、係止片の間に下方から嵌め込み可能な側面を設け、この側面に、下方に向けて浅くなる傾斜面を有する凹溝を設けて、この凹溝に一時収納された突起を押圧部材の押し上げによって横に押圧するようにした請求項５又は６に記載の遊技機の基板ケース。
【請求項８】
封止室の下部に、二つの下側突起を左右に離間させて設け、
押圧部材の下部には、嵌合部が封止室内に差し込まれたときに、下側突起により摺動されて押圧部材を上方に押し上げるための上側突起を、前記下側突起に対向して二つ設けた請求項５〜７の何れかに記載の遊技機の基板ケース。
【発明の詳細な説明】
【技術分野】
【０００１】
本発明は、回路基板を収納するための遊技機の基板ケースに関するものである。
【背景技術】
【０００２】
パチンコ機やスロットマシン等の遊技機においては、入賞確率が書き込まれたＲＯＭチップ等の電子部品を実装した回路基板が使われており、これら回路基板は、ケース本体とケース本体の開口部を覆う蓋とからなる基板ケースに収納されている。基板ケースには、内部にある回路基板に実装されているＲＯＭチップを交換して不当な利益を得ようとするのを防止するために、蓋を開けることができないようにするための封止構造が設けられている。
【０００３】
従来の封止構造を備えた基板ケースとして、例えば特許文献１に記載されたものが知られている。当該基板ケースは、ワンウェイタイプのネジからなる封印ビスによって蓋を開けることが不可能なように封止し、開封部を切断することで前記封止を解除可能とする封印部を備えたものである。これら封印部は複数個設けられており、その個数分だけ開封してＲＯＭが改造されていないかどうかの検査を行った後に再度封止することが可能な構造になっている。
また、特許文献２に記載されている基板ケースは、封印ビスの代わりに係合爪を有した締結具でもって封止する構造になっている。
【０００４】
しかしながら、前述した特許文献１に記載されたワンウェイタイプのネジを用いた封止構造は、ドライバーの先端に接着剤を塗布してネジと接着することでネジを緩めたり、ネジをドリルなどで破壊したりして基板ケースを開封することが可能であるため、封印の確実性について問題があった。また、これらのような方法で開封し内部にあるＲＯＭを不正なＲＯＭと交換した後に、再度ネジを嵌め込まれると一見しただけでは不正に開封されたかどうかが判らないという問題もあった。
さらに、特許文献２に記載の封止構造は、係止爪が外側を向いているために、封止部分の側面に小さな孔を開けて係止爪を針金等で外側から押すことで係止が解除されてしまうという問題があった。
【特許文献１】特開Ｈ１０−２１６３２４号公報
【特許文献２】特開２００６−１５００４４号公報
【発明の開示】
【発明が解決しようとする課題】
【０００５】
本発明は、上記した従来の問題に鑑み、確実に封印が可能であり、仮に不正に開封されたとしてもその痕跡を容易に発見できる遊技機の基板ケースを提供することを課題とする。
【課題を解決するための手段】
【０００６】
上記の課題を解決するためになされた本発明の遊技機の基板ケースは、ケース本体と、このケース本体に横方向からスライドして装着される蓋体とからなる遊技機の基板ケースにおいて、
蓋体の一端には、蓋体のスライド方向に向けて突出する嵌合部を設けて、
この嵌合部に、垂直基板の両端から前記スライド方向と逆向きに係止片を突設した封止部材と、前記係止片の間に上方から嵌入されてこの係止片を横方向に拡開する押圧部材とを、配設するとともに、
相手のケース本体には、嵌合部が差し込まれる封止室を設けて、
この封止室内に、差し込まれた押圧部材を下方に押し下げるための下向き突起と、押圧部材の押し下げによって拡開された係止片と噛合して蓋体をスライド不能に封止するための段差とを、設けたことを特徴とするものである。
【０００７】
また、本発明の遊技機の基板ケースは、ケース本体と、このケース本体に横方向からスライドして装着される蓋体とからなる遊技機の基板ケースにおいて、
ケース本体の一端には、蓋体の方に向けて突出する嵌合部を設けて、
この嵌合部に、垂直基板の両端から蓋体のスライド方向に向けて係止片を突設した封止部材と、前記係止片の間に上方から嵌入されてこの係止片を横方向に拡開する押圧部材とを、配設するとともに、
相手の蓋体には、嵌合部が差し込まれる封止室を設けて、
この封止室内に、差し込まれた押圧部材を下方に押し下げるための下向き突起と、押圧部材の押し下げによって拡開された係止片と噛合して蓋体をスライド不能に封止するための段差とを、設けたことを特徴とするものである。
【０００８】
上記した発明において、係止片の内側には、押圧部材の嵌入によって横方向に押圧されて係止片を拡開するための突起を設けたうえに、
押圧部材には、係止片の間に上方から嵌め込み可能な側面を設け、この側面に、上方に向けて浅くなる傾斜面を有する凹溝を設けて、この凹溝に一時収納された突起を押圧部材の押し下げによって横に押圧するようにすることができる。
【０００９】
さらに、封止室の上部に、二つの下向き突起を左右に離間させて設け、
押圧部材には、嵌合部が封止室内に差し込まれたときに、下向き突起により摺動されて押圧部材を押し下げるため上向き突起を、前記下向き突起に対向して二つ設けることができる。
【００１０】
また、本発明の遊技機の基板ケースは、ケース本体と、このケース本体に前方にスライドして装着される蓋体とからなり、遊技機用の回路基板が配設された遊技機の基板ケースにおいて、
蓋体の先端には、前方に向けて突出する嵌合部を設けて、
この嵌合部に、垂直基板の両端から後方に向けて係止片を突設した封止部材と、前記係止片の間に下方から嵌入されてこの係止片を横方向に拡開する押圧部材とを、配設するとともに、
相手のケース本体には、蓋体に向けて開く開口部を有し、嵌合部が差し込まれる封止室を設けて、
この封止室内に、差し込まれた押圧部材を上方に押し上げるための下側突起と、押圧部材の押し上げによって拡開された係止片と噛合して蓋体をスライド不能に封止するための段差とを、設けたことを特徴とするものである。
【００１１】
また、本発明の遊技機の基板ケースは、ケース本体と、このケース本体に前方にスライドして装着される蓋体とからなり、遊技機用の回路基板が配設された遊技機の基板ケースにおいて、
ケース本体の一端には、後方に向けて突出する嵌合部を設けて、
この嵌合部に、垂直基板の両端から前方に向けて係止片を突設した封止部材と、前記係止片の間に下方から嵌入されてこの係止片を横方向に拡開する押圧部材とを、配設するとともに、
相手の蓋体には、ケース本体に向けて開く開口部を有し、嵌合部が差し込まれる封止室を設けて、
この封止室内に、差し込まれた押圧部材を上方に押し上げるための下側突起と、押圧部材の押し上げによって拡開された係止片と噛合して蓋体をスライド不能に封止するための段差とを、設けたことを特徴とするものである。
【００１２】
上記した発明において、係止片の内側には、押圧部材の嵌入によって横方向に押圧されて係止片を拡開するための突起を設けたうえに、
押圧部材には、係止片の間に下方から嵌め込み可能な側面を設け、この側面に、下方に向けて浅くなる傾斜面を有する凹溝を設けて、この凹溝に一時収納された突起を押圧部材の押し上げによって横に押圧するようにすることができる。
【００１３】
さらに、封止室の下部に、二つの下側突起を左右に離間させて設け、
押圧部材の上部には、嵌合部が封止室内に差し込まれたときに、下側突起により摺動されて押圧部材を上方に押し上げるための上側突起を、前記下側突起に対向して二つ設けることができる。
【発明の効果】
【００１４】
請求項１又は２に係る発明は、押圧部材の押し下げによって拡開された係止片の先端が段差と噛み合って係止されるので、一旦嵌合部を封止室に差し込んだ場合には、蓋体をスライド不能に封止することができる。また、封止状態では封止室内は嵌合部によって密閉されているので、直接外部から封止部材及び押圧部材に触れることはできない。よって、不正に開封しようとすれば必ず封止室及び嵌合部に不正行為の痕跡が残ることとなる。
請求項３に係る発明は、封止状態では封止部材の係止片は内側から突起が押圧されて拡開されているので、外部から封止室に孔を開けて針金を使って係止片を押しても封止を解除することはできない。よって、開封しようとするとより大きな痕跡が残ることとなるので、不正行為の発見が容易である。
請求項４に係る発明は、下向き突起と上向き突起とがそれぞれ二つ設けてあるので、押圧部材を傾かせることなく封止部材の間に真っ直ぐに押し下げることができる。
【００１５】
請求項５又は６に係る発明は、押圧部材の押し上げによって拡開された係止片の先端が段差と噛み合って係止されるので、一旦嵌合部を封止室に差し込んだ場合には、蓋体をスライド不能に封止することができる。また、封止状態では封止室内は嵌合部によって密閉されているので、直接外部から封止部材及び押圧部材に触れることはできない。よって、不正に開封しようとすれば必ず封止室及び嵌合部に不正行為の痕跡が残ることとなる。
請求項７に係る発明は、封止状態では封止部材の係止片は内側から突起が押圧されて拡開されているので、外部から封止室に孔を開けて針金を使って係止片を押しても封止を解除することはできない。よって、開封しようとするとより大きな痕跡が残ることとなるので、不正行為の発見が容易である。
請求項８に係る発明は、下側突起と上側突起とがそれぞれ二つ設けてあるので、押圧部材を傾かせることなく封止部材の間に真っ直ぐに押し上げることができる。
【発明を実施するための最良の形態】
【００１６】
以下に、本発明の実施形態を図に基づき説明する。
図１は、本発明の基板ケースを示す図であって、１はケース本体、２は前方にスライドしてケース本体１に装着される相手の蓋体、９は保護される回路基板である。ケース本体１は、一端に複数の封止室３が形成され、その反対側は側壁のない蓋体挿通部１１となしてある。側壁１２の内面には鈎部１３が設けられている。封止室３には蓋体挿通部１１に向けて開く開口部３１が形成されている。ケース本体１は、底面１４が螺着、係止などされることによって遊技板裏面に固定される。なお、本明細書において、前方とは蓋体２がスライドする方向をいい、後方とはその逆の方向をいい、横方向とは、当該前後の方向に対して水平に直交する方向をいうものとする。
【００１７】
蓋体２の一端には、前方に向けて突出する嵌合部５が複数形成されている。この嵌合部５は封止室３に嵌め込まれたときに、開口部３１を封鎖するための封止板５４と、封止室３の底部の型抜き口３２を塞ぐための底板５３とを有している。嵌合部５には、封止部材６と着脱可能な押圧部材７とが取付けられている。また、蓋体２の側面には、鈎部１３に差し込まれる突片２１が設けられている。
【００１８】
蓋体２の幅はケース本体１の側壁１２内を摺動可能に形成してあるので、ケース本体１に対して蓋体２をスライド移動させることができる。蓋体２を前方にスライドさせて突片２１を鈎部１３に差し込むことによって、蓋体２の上下方向の移動を規制することができる。また、嵌合部５を、開口部３１から封止室３内に差し込むことによっても、底板５３の先端が、封止室３に設けたスリット３９に差し込まれるので、蓋体２の上下方向の移動を規制することができる。
【００１９】
図２に、本発明の要部構造を示す。図において、一方の押圧部材７ａは上向き突起７３が横向きの待機状態であるが、他方の押圧部材７ｂは上向き突起７３の傾斜面７２が前方を向いた封止可能状態である。封止室３の内部には、上向き突起７３と傾斜角度が略同一の下向き突起３７が上向き突起７３に対向して設けられ、開口部３１の左右には段差３８がもうけられている。
【００２０】
図３〜５に、嵌合部５の詳細を示す。嵌合部５は、底板５３と、これに垂直な封止板５４を有し、封止板５４に切断用の薄肉部５２が接続されている。底板５３には、封止部材６の挿着凹部５５と押圧部材７の挿着軸５６とが設けられている。底板５３の先端は、封止室３に設けたスリット３９に挿入しやすいように面取りされている。
【００２１】
図６〜８に、封止部材６の詳細を示す。封止部材６は、挿着軸５６の挿通孔６５が設けられた底板６１と、底板６１の一端に立設された垂直基板６２と、他端に立設されたガイド板６３とを有する。垂直基板６２の両端には蓋体２のスライド方向とは逆向き、すなわち後方に突出された二枚の係止片６４が平行に設けられている。係止片６４の内側には係止片６４拡開用の突起６６が設けられている。突起６６は上部の斜めに面取りされた面取部６７と下部の垂直な平面の平面部６８とから構成されている。また、この封止部材６は、底面６１が挿着凹部５５に嵌め込まれて嵌合部５に取付けられている。なお、嵌め込みでなくとも、接着などであってもよいし、嵌合部５と一体であってもよい。
【００２２】
押圧部材７の詳細を、図９〜１２に示す。押圧部材７は、概略形状四角柱の胴部７１を有し、胴部７１の上には傾斜面７２を有する上向き突起７３が二つ左右に離間して設けられている。胴部７１の左右の側面７４で上向き突起７３の下方には、押圧部材７を封止部材６に仮止めするために突起６６を収納可能な凹溝７５が設けられ、この凹溝７５は上方に向けて浅くなる傾斜面７６を有している。胴部７１の前後の側面７７には、押圧部材７を待機状態に保持しておくために封止部材６の突起６６を逃がすための長溝７８が形成されている。また、胴部７１は挿着軸５６が挿通される孔７９を有し、この孔７９には位置決め用の角部８０が形成されている。
【００２３】
封止室３の詳細を、図１３〜１６に示す。封止室３は、開口部３１と反対側の正面側壁３３と、左右の側面３４と上面３５とを有し、底部には、成形型を抜くために形成される型抜き口３２を有する。封止室３の内部の上面３５には、開口部３１側に傾斜面３６を有する下向き突起３７が左右に離間して二つ設けられている。押圧部材７の上向き突起７３を左右両側から押すことで、押圧部材７を傾かせることなく真直ぐに押し下げることができるため、このように下向き突起３７及び上向き突起７３を左右に離間して二つずつ設けることが望ましい。しかしこれに限定されるものではなく、夫々の突起を中央に一つずつ設けて下向き突起３７と上向き突起７３とが当接して押し下げることができる形状であってもよい。なお、図２１に示すように蓋体２の前進力の一部を直角の下方に変更している。傾斜面３６及び傾斜面７２の傾き角θは、θが大きいとＦxも大きくなるためにスライド移動させるのに大きな力が必要となって封止作業が困難となる。反対に、θが小さいとスライド移動させる距離が長く必要となって封止室３の大型化を招くこととなる。よってθは、Ｆx＝Fｙとなる４５°から３０°が望ましい。
さらに、側面３４の内側には、拡開された係止片６４と噛み合って係止するための段差３８が形成されている。
【００２４】
以上のように構成された基板ケースにおいて、ケース本体１を蓋体２で封止するには、先ず傾斜面７２を横向きとした待機状態の押圧部材７を封止部材６から取り外して、傾斜面７２を前方に向けて再び封止部材６に突起６６の面取部６７が凹溝７５の傾斜面７６に当接する程度まで軽く差し込む（図１７、図２）。次いで嵌合部５先端を封止室３の内部に差し込んで、ケース本体１に対して蓋体２をスライド移動させ、下向き突起３７に上向き突起７３を当接させる（図１８〜２１）。この状態では、突起６６の面取部６７が凹溝７５の傾斜面７６に接触した状態であって（図２０）、押圧部材７と封止部材６の底面６１との間には隙間Ｓが残存し、封止室３の正面側壁３３と封止部材６の垂直基板６２との間には隙間Ｔが残存している（図２１）。押圧部材７の側面７４によって突起６６は横方向に押圧されてはおらず（図２０）、よって、係止片６６は拡開されてはいない（図１９）。またこの状態では、係止片６６の先端は、段差３８を超えて封止室３の内側にある。
【００２５】
蓋体２をさらにスライドさせると、上向き突起７３は、下向き突起３７から傾斜面７２に対して垂直の力を受けるので、傾斜面７２が下向き突起３７の傾斜面３６上を摺動して押圧部材７は下方に押し下げられることになる。すると、突起６６の面取部６７に当接していた凹溝７５の傾斜面７６は、面取部６７に沿って下方に摺動しながら横に押圧されることになる。この押圧によって、係止片６４は横方向に徐々に拡開される。なお、押圧部材７が押下げられることで係止片６４にも押下げの力が働くが、係止片６４は垂直基板６２に片持ち支持されているので、係止片６４先端が押下げられることになる。この場合、先端の下部が嵌合部５の底板５３に接触すると摩擦で横方向に拡開されるのを妨げられるので、係止片６４と底板５３との間には接触しない程度の隙間が予め設けてある。
【００２６】
蓋体２をさらにスライドさせて、嵌合部５を封止室３に完全に差し込むと（図２２〜２５）、嵌合部５の封止板５４が封止室の左右の側面３４と上面３５とに当接することで、開口部３１は封止板５４によって密閉される（図２５）。また、型抜き口３２は底板５３によって密閉される。押圧部材７はさらに下方に押し下げられ、押圧部材７はその底面が底板６１に着底する。
この着底した状態では、凹溝７５の傾斜面７６に当接していた突起６６の面取り部６７は、傾斜面７６を上方に摺動して凹溝７５から抜け出し、その後突起６６の平面部６８が側面７４によって横に押圧されることになる（図２４。平面部６８と側面７４は垂直面であるため、係止片６４は元の閉じた状態に戻ることなく横方向に拡開された状態で保持されて、その先端が段差３８と噛み合って係止される（図２３、２６）。よって、嵌合部５を封止室３から引き抜こうとしても、係止片６４先端が段差３８に引っかかることになるので、引き抜くことはできない。
【００２７】
突起６６の平面部６８が係止片６４の上下方向の中心に設けられているので、係止されている状態では、左右の係止片６４は正面から見て傾くことなく並行に拡開される。これにより、係止片６４先端全体が段差３８に引っかかることになるので確実に係止することができる。
また、突起６６は、拡開された係止片６４に沿うように後方に向けて横方向の突出量を大きくしてあるので、側面７４と突起６６の平面部６８とは面で接触することになり、係止片６４を無理なく拡開させ、拡開された状態を維持することができる。
したがって、蓋体２の前後方向のスライドを不可能にして、基板ケースを封止することができる。
【００２８】
前述したようによく行われている不正な解除方法の一つとして、封止室３の壁に小さな孔を開けてそこから針金等を差し込むことで係止爪を内側に押し込み係止を解除する方法が知られている。しかし本発明では、係止片６４の内側の突起６６が側面７４で支えられており、突起６６の横方向の幅が十分であるので、例え係止片６４の先端が撓んで段差３８から外れたとしても、突起６６部分で段差３８と引っかかるため、それ以上後方にスライドさせることができず封止が解除されることはない。なお、この場合の突起６６の横方向の幅（ｈ）が十分とは、拡開されていない係止片６４と段差３８との横方向の隙間（Ｈ）よりも大きいことを意味する（図２９）。
【００２９】
封止を解除するためには、薄肉部５２を切断する必要がある。通常は、図２７に示すように、ケース本体１側に封止室３が４個、蓋体２側に嵌合部５が４個設けられていて、４回の封止と解除とを繰り返すことができる。なお、これらのケース本体１、蓋体２、封止室３、嵌合部５を、透明のものとすることによって、内部の構造や封止状態を視認することができる。
【００３０】
以上は、ケース本体１に封止室３を設け、蓋体２に嵌合部５を設けた実施例を説明したが、ケース本体１に嵌合部５を設け、蓋体２に封止室３を設けることもできる。すなわち、ケース本体１の一端には、後方に向けて突出する嵌合部５を設けて、この嵌合部５に、垂直基板６２の両端から前方に向けて係止片６４を突設した封止部材６と、前記係止片６４の間に上方から嵌入されてこの係止片６４を横方向に拡開する押圧部材７とを、配設する。相手の蓋体２には、嵌合部５が差し込まれる封止室３を設けて、この封止室３内に、差し込まれた押圧部材７を下方に押し下げるための下向き突起３７と、押圧部材７の押し下げによって拡開された係止片６４と噛合して蓋体２をスライド不能に封止するための段差３８とを、設けることによっても、既記したものと同様な効果を得ることができる。
【００３１】
図２８に、上記したものとは別の形態の基板ケースの封止構造を示す。この形態のものにおいては、封止室３には下向き突起３７が一つ設けられている。そして、押圧部材７にはこの下向き突起３７に対向する傾斜面７２を有する上向き突起７３が形成されている。なお、上向き突起７３の間には待機時に下向き突起３７を挿通するための切り溝８１が形成されている。胴部７１の左右の側面には、係止片拡開用の突起８２が設けられており、突起８２が係止片６４を上下方向の中央で支えるためこれに対応して、係止片６４には凹溝６９が形成されている、この凹溝６９は下部に、下方に向けて浅くなる傾斜面６９ａを有している。すなわち突起８２がこの傾斜面６９ａを下方に摺動することによって、係止片６４は横に拡開されるので、段差３８と噛み合うことができる。
【００３２】
図３０〜３４には、第３の実施形態の基板ケースを示す。この基板ケースは、図２などに示した封止構造において、上下の位置関係を反転させたものである。すなわち、蓋体２の先端には、前方に向けて突出する嵌合部５が設けてある。この嵌合部５には、垂直基板６２の両端から後方に向けて係止片６４を突設した封止部材６と、係止片６４の間に下方から嵌入されてこの係止片６４を横方向に拡開する押圧部材７とが配設されている。
【００３３】
相手のケース本体１には、蓋体２に向けて開く開口部３１を有し、嵌合部５が差し込まれる封止室３を設けてある。封止室３内には、封止室３内に差し込まれた押圧部材７を上方に押し上げるための下側突起９１と、押圧部材７の押し上げによって拡開された係止片６４と噛合して蓋体２をスライド不能に封止するための段差３８（図２９、水平方向断面構造は上下反転させても同じである。）とが設けられている。
【００３４】
なお、係止片６４の内側には、押圧部材７の嵌入によって横方向に押圧されて係止片６４を拡開するための突起６６を設けてある。さらに、押圧部材７には、係止片６４の間に下方から嵌め込み可能な側面７４を設け、この側面７４に、下方に向けて浅くなる傾斜面を有する凹溝７５を設けてある。よって、この凹溝７５に一時収納された突起６６を押圧部材７の押し上げによって横に押圧することができる。
【００３５】
封止室３の下部には、二つの下側突起９１を左右に離間させて設け、
押圧部材７の下部には、嵌合部５が封止室３内に差し込まれたときに、下側突起９１により摺動されて押圧部材７を上方に押し上げるための上側突起９２が、下側突起９１に対向して二つ設けられている。
封止構造を以上のようなものとしてもケース本体１に蓋体２を封止することができる。
【００３６】
また、ケース本体１の一端には、後方に向けて突出する嵌合部５を設けて、この嵌合部５に、垂直基板６２の両端から前方に向けて係止片６４を突設した封止部材６と、前記係止片６４の間に下方から嵌入されてこの係止片６４を横方向に拡開する押圧部材６とを、配設するとともに、相手の蓋体２には、ケース本体１に向けて開く開口部３１を有し、嵌合部５が差し込まれる封止室３を設けて、この封止室３内に、差し込まれた押圧部材７を上方に押し上げるための下側突起９１と、押圧部材７の押し上げによって拡開された係止片６４と噛合して蓋体２をスライド不能に封止するための段差３８とを、設けることもできる。
【図面の簡単な説明】
【００３７】
【図１】封止前の基板ケースの斜視図である。
【図２】封止前の基板ケースの封止構造の内部を透視して示す斜視図である。
【図３】嵌合部の斜視図である。
【図４】嵌合部の平面図である。
【図５】嵌合部の側面図である。
【図６】封止部材の斜視図である。
【図７】封止部材の平面図である。
【図８】封止部材の正面図である。
【図９】押圧部材の斜視図である。
【図１０】押圧部材の正面図である。
【図１１】押圧部材の平面図である。
【図１２】押圧部材の側面図である。
【図１３】封止室の斜視図である。
【図１４】封止室の斜視図である。
【図１５】封止室の斜視図である。
【図１６】封止室の底面図である。
【図１７】基板ケースの封止構造の斜視図である。
【図１８】封止直前の基板ケースの封止構造の側面図である。
【図１９】図１８のＡ−Ａ線における封止構造の水平断面図である。
【図２０】図１９のＢ−Ｂ線における封止構造の垂直断面図である。
【図２１】図１９のＣ−Ｃ線における封止構造の垂直断面図である。
【図２２】封止完了した基板ケースの封止構造の側面図である。
【図２３】図２２のＤ−Ｄ線における封止構造の水平断面図である。
【図２４】図２３のＥ−Ｅ線における封止構造の垂直断面図である。
【図２５】図２３のＦ−Ｆ線における封止構造の垂直断面図である。
【図２６】封止完了した基板ケースの封止構造の内部を透視して示す斜視図である。
【図２７】封止状態の基板ケースを示す斜視図である。
【図２８】別の形態の基板ケースの封止構造を示す分解斜視図である。
【図２９】隙間Ｈと突起の横幅ｈを説明する図である。
【図３０】第３の実施形態の基板ケースを示す斜視図である。
【図３１】図３０の基板ケースの正面図である。
【図３２】図３０の蓋体の正面図である。
【図３３】図３０の蓋体の側面図である。
【図３４】図３１のＧ−Ｇ線断面図である。
【符号の説明】
【００３８】
３  封止室、５  嵌合部、６  封止部材、７  押圧部材、３７  下向き突起、３８  段差、６２  垂直基板、６４  係止片、
【図１】
0005023288.tif 000002
【図２】
0005023288.tif 000003
【図３】
0005023288.tif 000004
【図４】
0005023288.tif 000005
【図５】
0005023288.tif 000006
【図６】
0005023288.tif 000007
【図７】
0005023288.tif 000008
【図８】
0005023288.tif 000009
【図９】
0005023288.tif 000010
【図１０】
0005023288.tif 000011
【図１１】
0005023288.tif 000012
【図１２】
0005023288.tif 000013
【図１３】
0005023288.tif 000014
【図１４】
0005023288.tif 000015
【図１５】
0005023288.tif 000016
【図１６】
0005023288.tif 000017
【図１７】
0005023288.tif 000018
【図１８】
0005023288.tif 000019
【図１９】
0005023288.tif 000020
【図２０】
0005023288.tif 000021
【図２１】
0005023288.tif 000022
【図２２】
0005023288.tif 000023
【図２３】
0005023288.tif 000024
【図２４】
0005023288.tif 000025
【図２５】
0005023288.tif 000026
【図２６】
0005023288.tif 000027
【図２７】
0005023288.tif 000028
【図２８】
0005023288.tif 000029
【図２９】
0005023288.tif 000030
【図３０】
0005023288.tif 000031
【図３１】
0005023288.tif 000032
【図３２】
0005023288.tif 000033
【図３３】
0005023288.tif 000034
【図３４】
0005023288.tif 000035